(57)【要約】  【課題】記録媒体に沿って移動する記録手段を用いて記録を行うインクジェット記録装置において、簡単かつ安価な構成で、記録装置内に浮遊するインクミストを効率よく回収するとともに、インクミストによる記録装置内の汚れや動作不良を防止する。  【解決手段】記録媒体５０に沿って往復移動する記録手段１０に、圧縮変形後に初期形状へ復元する過程で発生する吸引力により空気を吸引可能な吸引機構４０を設け、記録装置本体側に吸収機構４０が当接することで該吸引機構を圧縮変形させるための突き当て部４１を設ける。【選択図】                図１
2006027049.tif 000002
【特許請求の範囲】
【請求項１】
記録媒体に沿って往復移動する記録手段からインクを吐出して前記記録媒体に記録を行うインクジェット記録装置において、
前記記録手段に、圧縮変形後に初期形状へ復元する過程で発生する吸引力を用いて空気を吸引可能な吸引機構を設けることを特徴とするインクジェット記録装置。
【請求項２】
前記吸引機構は、前記記録手段の移動を利用して記録装置内に配設された突き当て部に当接させることにより圧縮変形されることを特徴とする請求項１に記載のインクジェット記録装置。
【請求項３】
前記吸引機構は、空気を吸引するための吸引口を記録媒体側に有することを特徴とする請求項１又は２に記載のインクジェット記録装置。
【請求項４】
前記吸引機構は前記記録手段の移動方向の両側に設けられ、前記突き当て部は前記吸引機構のそれぞれに対応して記録装置の両側に設けられることを特徴とする請求項２又は３に記載のインクジェット記録装置。
【請求項５】
前記吸引機構は、空気に含まれるインクミストを捕集するフィルタを有することを特徴とする請求項１〜４のいずれか１項に記載のインクジェット記録装置。
【請求項６】
前記吸引機構は、弾性力を有するばねと該弾性力によって拡張される袋部材とを用いて構成されることを特徴とする請求項１〜５のいずれか１項に記載のインクジェット記録装置。
【請求項７】
前記吸引機構は、弾性圧縮変形可能なインク吸収体を用いて構成されることを特徴とする請求項１〜５のいずれか１項に記載のインクジェット記録装置。
【請求項８】
前記吸引機構は、インクミストを吸引するための吸引口を記録媒体側に有することを特徴とする請求項１〜７のいずれか１項に記載のインクジェット記録装置。
【請求項９】
前記吸引機構は、空気を排出するための排出口を記録媒体の反対側に有することを特徴とする請求項１〜８のいずれか１項に記載のインクジェット記録装置。
【請求項１０】
前記記録手段の移動領域の両端部に、前記排出口から排出される空気を受けるためのインク吸収体を配設することを特徴とする請求項９に記載のインクジェット記録装置。
【請求項１１】
前記吸引機構は、一方向の空気の流れを生じさせるための逆止弁を有することを特徴とする請求項１〜１０のいずれか１項に記載のインクジェット記録装置。
【請求項１２】
前記吸引機構の内部に溜まったインクは、前記記録手段の吐出口からインクを吸引する吸引回復手段を用いて吸引排出可能であることを特徴とする請求項１〜１１のいずれか１項に記載のインクジェット記録装置。
【請求項１３】
前記吸引機構は、記録手段に対して着脱可能で交換できることを特徴とする請求項１〜１２のいずれか１項に記載のインクジェット記録装置。
【発明の詳細な説明】
【技術分野】
【０００１】
本発明は、インクを吐出して記録媒体に記録を行うインクジェット記録装置に関する。
【背景技術】
【０００２】
プリンタ、複写機、ファクシミリ等の機能を有する記録装置、あるいはコンピュータやワードプロセッサ等を含む複合電子機器やワークステーションなどの出力機器として用いられる記録装置は、画像情報も基づいて紙やプラスチックシートなどの記録媒体に画像を記録していくように構成されている。そのうち、記録ヘッドから記録媒体へインクを吐出して記録を行うインクジェット記録装置は、記録ヘッドのコンパクト化が容易であり、高精細な画像を高速で記録することができ、普通紙に特別な処理をせずに記録することができ、ノンインパクト方式であるため騒音が少なく、しかも多種類のインクを使用してカラー画像を形成するのが容易であるなどの利点を有している。また、インクジェット記録装置においても、記録媒体に沿って往復移動するキャリッジに記録ヘッドを搭載して構成された記録手段によって主走査しながら記録していく、いわゆるシリアルスキャン記録方式が広く実施されている。
【０００３】
インクジェット記録装置においては、インクを吐出して記録を行うため、インクを吐出した際にインクミストと呼ばれる微小なインク粒子が発生し、このインク粒子が記録媒体や記録装置内に飛散してインク汚損の原因となる可能性がある。また、記録装置内に飛散したインクミストが記録動作のための機構部や制御手段等に堆積すると、動作不良の原因になる可能性もある。これらを防止するために、記録装置内に吸引ファンを設け、この吸引ファンによって、飛散しているインクミストを回収する構成が採られている。このような技術は例えば特許文献１に記載されている。
【特許文献１】特開平１１−１３８７８１号公報
【発明の開示】
【発明が解決しようとする課題】
【０００４】
しかしながら、従来の吸引ファンを使用する構成では、記録装置を長時間にわたって使用すると、ファンによって吸引されたインクミストが吸引経路中に溜まっていき、次第に吸引効率が低下したり、吸引経路中にインクミストが溜まってインクミストの保持が困難になることがあった。
本発明はこのような技術的課題に鑑みてなされたものであり、本発明の目的は、記録媒体に沿って移動する記録手段を用いて記録を行うインクジェット記録装置において、簡単かつ安価な構成で、記録装置内に浮遊するインクミストを効率よく回収することができ、インクミストによる記録装置内の汚れや動作不良を防止することが可能なインクジェット記録装置を提供することである。
【課題を解決するための手段】
【０００５】
本発明は、上記目的を達成するため、記録媒体に沿って往復移動する記録手段からインクを吐出して前記記録媒体に記録を行うインクジェット記録装置において、前記記録手段に、圧縮変形後に初期形状へ復元する過程で発生する吸引力を用いて空気を吸引可能な吸引機構を設けることを特徴とする。
上記構成においては、前記吸引機構は、前記記録手段の移動を利用して記録装置内に配設された突き当て部に当接させることにより圧縮変形されることが好ましい。
【発明の効果】
【０００６】
本発明によれば、往復移動する記録手段に、圧縮変形後に初期形状へ復元する過程で発生する吸引力を用いて空気を吸引可能な吸引機構を設けるので、簡単かつ安価な構成で、記録装置内に浮遊するインクミストを効率よく回収することができ、インクミストによる記録装置内の汚れや動作不良を防止することが可能なインクジェット記録装置が提供される。
【発明を実施するための最良の形態】
【０００７】
以下、図面を参照して本発明の実施形態を具体的に説明する。なお、各図面を通して同一符号は同一又は対応部分を示すものである。図１は本発明によるインクジェット記録装置の第１の実施形態の模式的正面断面図であり、図２は図１のインクジェット記録装置の記録手段１０の模式的拡大正面図である。図３は図１のインクジェット記録装置で記録を行う際にインクミストを吸引する動作を示す模式的正面断面図であり、（ａ）は記録手段が左向きに移動するときの状態を示し、（ｂ）は記録手段が左端の突き当て部に圧接されるとともに移動方向を反転するときの状態を示し、（ｃ）は記録手段が右向きに移動するときの状態を示す。
【０００８】
図１〜図３において、本実施形態に係るインクジェット記録装置は、記録ヘッド１をキャリッジ２に搭載して構成された記録手段１０の往復移動（主走査）と、記録紙やプラスチックシート等のシート材から成る記録媒体５０の所定ピッチごとの送り（副走査）とを交互に繰り返しながら、移動中の記録手段（記録ヘッド）１からインクを吐出して記録媒体５０に画像を記録していくように構成されている。記録手段１０の移動方向と記録媒体５０の送り（搬送）方向は、互いに交差する方向（通常では直交する方向）に選定されている。記録ヘッド１とキャリッジ２で構成された記録手段１０は、記録装置の記録動作機構部のベースとなる板金部材のシャーシ２０には左右方向に互いに平行に設置されたキャリッジ軸３及びガイドレール（不図示）に沿って往復移動可能に案内支持されている。
【０００９】
キャリッジ２には、記録装置の左右両端部に回転自在に設けられた２つのプーリに掛け回されたタイミングベルト（不図示）の一部分が固定されている。キャリッジ２は、一方のプーリをキャリッジ駆動モータ（不図示）により正転又は逆転させることで、キャリッジ軸３に沿って往復移動させられる。記録ヘッド１は、インクを吐出する複数の吐出口から成る吐出口列が形成された吐出口面１ａを有し、この吐出口面１ａが下方に向けて突出するような姿勢でキャリッジ２に着脱可能に搭載されている。
【００１０】
吐出口からインクを吐出させる方式には、大きく分けて２つある。その１つは、ヒータによりインクに熱エネルギーを与え、この際のエネルギーによるインクの状態変化（気泡の発生など）を利用する方式であり、もう１つは、圧電素子によりインクに機械的エネルギーを与えることにより瞬間的に吐出圧力を加える方式である。本実施形態は、いずれの方式の場合にも同様に実施可能である。記録ヘッド１及びキャリッジ２は、それぞれ電気的接続部を有し、記録ヘッド１をキャリッジ２に搭載することで互いに電気的に接続される。この電気的接続部を介して記録装置本体側の制御部から記録ヘッド１へ記録信号が与えられ、この記録信号に基づいてインクに熱エネルギーや機械的エネルギーが与えられる。
【００１１】
シャーシ２０には、記録手段１０の移動方向に平行に張設されたスケール３０が取り付けられている。一方、キャリッジ２の前記スケール３０と対面する部位には、該スケール３０を読み取るための読み取りセンサ（不図示）が取り付けられている。これらスケール３０及び前記読み取りセンサにより、記録媒体５０の幅方向におけるキャリッジ２の位置を検出するリニアエンコーダが構成されている。このリニアエンコーダとしては光学式のものや磁気式のものを用いることができ、例えば光学式のものの場合には、スケール３０に所定のピッチで多数のスリットが設けられ、光学式の読み取りセンサでスケール３０のスリットを読み取るように構成される。このリニアエンコーダで検出されたキャリッジ２の位置は、前記キャリッジ駆動モータのフィードバック制御や、記録ヘッド１におけるインクの吐出タイミングの制御などに利用される。
【００１２】
記録手段１０の移動領域の下方には、記録媒体５０を搬送する搬送機構が設けられている。本実施形態では、装置本体の後方（図示の紙面奥側）に設けられた自動給紙装置（不図示）又は装置本体の下方（底部）に設けられたカセット（不図示）から選択的に記録媒体を給送し、搬送するように構成されている。なお、シャーシ２０は、前述のキャリッジ軸３、ガイドレール、自動給紙装置及びキャリッジ駆動モータ、更には紙送り駆動モータ等を位置決め保持するとともに、記録媒体を搬送し装置本体外へ排出するための搬送ローラ及び排紙ローラを回転可能に保持している。また、記録手段１０の移動範囲内でかつ記録紙５０の通過領域を外れた位置（図示の例では右端近傍の位置）には、記録ヘッド１のインク吐出性能を維持回復させるために回復系ユニット６０が配設されている。
【００１３】
回復系ユニット６０は、吐出口内のインク乾燥防止及び吐出口の保護のために吐出口を密封するキャッピング機構、キャッピングした吐出口からインクを吸引することで吐出口内のインクをリフレッシュする吸引回復機構、吐出口周辺を清浄するために吐出口面をワイピングするワイピング機構、さらにはワイピング機構のワイパー部材を清浄するためのクリーニング機構などを備えている。そして、所定のタイミングあるいは一定時間間隔で記録手段１０を回復系ユニット６０と対向する位置に移動させ、所望の回復機構を作動させることにより、記録ヘッド１のインク吐出性能を良好に維持することができる。なお、記録手段１０による記録動作の基準位置（ホームポジション）は、回復系ユニット６０が配設された側の端部に設定されており、この基準位置を基準にして、記録動作のための記録手段１０（キャリッジ２）の移動並びに記録ヘッド１の回復処理のための記録手段１０の移動が制御される。
【００１４】
記録ヘッド１による記録画像の高精細化を図るため、記録ヘッド１の吐出口の小径化及び高密度化が進められている。その結果、吐出するインク滴の大きさも小さくなり、これに伴い、インク吐出の際に微小なインクミスト（インク粒子）が発生し、記録装置内に飛散したり、浮遊したりする現象が生じる。そこで、記録手段１０には、圧縮変形後に初期形状へ復元する過程で発生する吸引力を用いて空気を吸引可能な吸引機構４０が設けられている。この吸引機構４０は、記録動作の際など、記録手段１０（記録ヘッド１）からインクを吐出する際に発生するインクミストを含んだ空気を吸引することにより、当該インクミストを回収し、それによって、記録装置内のインクミストを低減するためのものである。そして、装置本体の端部（本実施形態では左右両端部）に、吸引機構４０に吸引機能を付与するための突き当て部４１が配置されている。
【００１５】
本実施形態では、前記吸引機構４０は、記録手段１０（図示の例ではキャリッジ２）の移動方向の両側に設けられている。各吸引機構４０は、弾性力を有するばねと該弾性力によって拡張される袋部材とを用いて構成される圧縮変形可能な構造、あるいは、弾性力を有するインク吸収体を袋部材内に充填して構成される圧縮変形可能な構造体など、圧縮変形後に初期形状へ復元する過程で吸引力を発生する構造を有している。装置本体の両側に配置された突き当て部４１は、記録手段１０が移動してきて吸引機構４０が衝突した際に、該吸引機構４０を圧縮変形させるためのものである。本実施形態では、前記突き当て部４１は、記録手段１０の両側に配置された吸引機構４０のそれぞれに対応して、装置本体の両側に配置されている。つまり、記録動作の際の記録手段１０の往復移動に伴って、図示左側の突き当て部４１によって図示左側の吸引機構４０を圧縮変形させ、図示右側の突き当て部４１によって図示右側の吸引機構４０を圧縮変形させることができるように構成されている。
【００１６】
各吸引機構４０は、交換できるように記録手段１０に対して着脱可能に取り付けられている。また、各吸引機構４０の記録媒体５０側の部位（図示の例では下端部）には、インクミスト（インクミストを含んだ空気）を吸引するための吸引口４３が形成されている。また、各吸引機構４０の内部もしくは吸引口４３の近傍には、吸引する空気に含まれるインクミストを捕集するためのフィルタ（不図示）が設けられている。さらに、各吸引機構４０には、一方向の空気の流れ、例えば吸引機構４０の下部の吸引口４３から該吸引機構の頂面を通して外部へ抜ける方向の空気の流れを生じさせるための逆止弁（不図示）が設けられている。この逆止弁は、一旦吸引したインクミストを吸引口４３から逆流させない位置に配置されている。また、吸引機構４０内に吸引されたインクミストは、そのまま吸引機構４０内に堆積させておき、交換時に回収するようにしても良く、あるいは、吸引機構４０内部からインク吸収体通路を介して記録装置の廃インク吸収体１１へ導くように構成しても良い。
【００１７】
次に、図３を参照して、記録装置内に発生したインクミストを吸引するための吸引機構４０及び突き当て部４１の構成及び動作について、さらに具体的に説明する。吸引機構４０のインクミストを吸引するための吸引口４３は、記録領域においてプラテン６上に支持された記録紙等の記録媒体５０側、すなわち図示の下端部にのみ形成されている。一方、記録媒体５０に記録する際に発生するインクミストは、記録ヘッド１の吐出口の近傍で発生するとともに記録媒体５０の表面近くで浮遊することになる。そのため、吸引口４３は、インクミストの近くに位置しており、記録媒体５０に記録する際には発生するインクミストを効率良く吸引することが可能である。
【００１８】
吸引機構４０は、図１及び図２に示す初期の形状から圧縮変形された後に弾性復元力で初期の形状に戻るときに、内部空間の拡張に伴って吸引力を発生する機構になっている。先ず、図３の（ａ）では、記録手段１０が左側に移動しながら記録を行っており、記録手段１０の進行方向後側（右側）の吸引機構４０は、弾性復元力によって拡張しながら吸引力を発生してインクミストを吸引している。なお、この右側の吸引機構４０は、記録手段１０が右側端（右側最大限の位置）まで移動して右側の突き当て部４１によって圧縮変形（不図示）された後、図示のように左側へ移動しているときの状態を示す。
【００１９】
図３の（ｂ）では、記録手段１０が左側端まで移動し、今度は左側の吸引機構４０が左側の突き当て部４１によって圧縮変形されている。次いで、記録手段１０が移動方向を反転して右側へ移動しているときの状態が図３の（ｃ）である。図３の（ｃ）では、記録手段１０は右側に移動しながら記録を行っており、この状態では、図３の（ｂ）で圧縮変形された左側の吸引機構４０が弾性復元力によって初期形状に戻りながら、内部空間の拡張に伴って発生する吸引力によってインクミストを吸引している。このように、記録手段１０の移動（主走査）によって記録媒体５０に記録すると同時に、記録手段１０に設けられた吸引機構４０は突き当て部４１との協働によって以上のような動作を繰り返しながらインクミストの吸引を行っている。記録装置の下部（底部）には、吸引機構４０に回収したインクミストを吸収させるための廃インク吸収体１１が配設されている。
【００２０】
本実施形態によれば、吸引機構４０として、圧縮変形後に初期形状に戻る際に吸引力を発生する機構を使用するとともに、記録ヘッド１の吐出口及び記録媒体５０に近い位置に吸引口４３を設けるため、記録動作の際に発生するインクミストを効率よく吸引し回収することができる。また、吸引機構４０を記録動作の際の往復運動を利用して弾性変形させ、その後の弾性復元力を利用して吸引力を発生させるので、ポンプや排気ファンなどの動力機構を必要としない簡単かつ安価な構成でインクミストを吸引し、回収することができる。また、インクジェット記録装置の小型化も可能になる。さらに、吸引機構４０そのものを着脱可能にして適宜交換可能としたり、あるいは、回収したインクミストを記録装置に配置した廃インク吸収体１１に吸収させることにより、長期にわたり安定した画像記録を行うことも可能になる。それによって、記録媒体５０のインク汚れや記録手段１０の位置制御センサなどの誤作動を防ぐことができ、信頼性の高いインクジェット記録装置を提供することが可能になる。
【００２１】
図４は本発明によるインクジェット記録装置の第２の実施形態で使用される記録手段１０の模式的拡大正面図である。図５は第２の実施形態に係るインクジェット記録装置で記録を行う際に吸引機構４０によりインクミストを吸引する動作を示す模式的正面断面図であり、（ａ）は記録手段が左向きに移動するときの状態を示し、（ｂ）は記録手段が左端の突き当て部に圧接されるとともに移動方向を反転するときの状態を示し、（ｃ）は記録手段が右向きに移動するときの状態を示す。本実施形態においても、記録手段１０の移動方向両側に吸引機構４０が設けられるとともに、装置本体の両端部には突き当て部４１が配設されている。本実施形態は、前述の第１の実施形態に対し、以下に説明するような吸引機構４０及び突き当て部４１の構成及び作用の点で相違するが、その他の点では実質的に同じ構成を備えている。
【００２２】
図４及び図５において、本実施形態の吸引機構４０も、図４に示す初期の形状から圧縮変形された後に弾性復元力で初期の形状に戻るときに、内部空間の拡張に伴って吸引力を発生する機構になっている。先ず、図５の（ａ）では、記録手段１０が左側に移動しながら記録を行っており、記録手段１０の進行方向後側（右側）の吸引機構４０は、弾性復元力によって拡張しながら吸引力を発生してインクミストを吸引している。図５の（ａ）も、図３の（ａ）の場合と同様、記録手段１０が右側端（右側最大限の位置）まで移動して右側の吸引機構４０が右側の突き当て部４１によって圧縮変形（不図示）された後に左側へ移動しているときの状態を示す。また、本実施形態でも、吸引機構４０の吸引口４３は記録媒体５０側であって吐出口の近傍に設けられており、記録する際に発生するインクミストを効率よく吸引することが可能である。
【００２３】
なお、本実施形態の吸引機構４０は、図４に示すように、弾性力を有するばね４６と該弾性力によって拡張される袋部材４７とを用いて構成されているが、これは、弾性圧縮変形可能なインク吸収体もしくは該インク吸収体をケースに内蔵した構造など、他の構造のものを使用しても良い。また、各吸引機構４０の記録媒体５０の反対側（本実施形態では上部）には排出口４４が形成されている。さらに、各突き当て部４１の上部には、記録手段１０が移動してきて吸引機構４０が押し付けられたときに、該吸引機構４０の排出口４４から排出される空気（インクミスト）を受けるためのインク吸収体４２が配設されている。
【００２４】
そこで、図５の（ａ）の状態から記録手段１０が左側端まで移動して図５の（ｂ）に状態になると、左側の吸引機構４０が左側の突き当て部４１によって圧縮変形される。このときの圧縮変形により、吸引機構４０の内部の空気が上部の排出口４４から押し出される。押し出された空気の中に混在しているインクミストは、突き当て部４１のインク吸収体４２に付着し回収される。このインク吸収体４２は記録装置の底部に配置された廃インク吸収体１１につながっており、インク吸収体４２で回収されるインクはインク溢れを生じることなく廃インク吸収体１１へ導かれる。
【００２５】
次いで、記録手段１０が移動方向を反転して右側へ移動しているときの状態が図５の（ｃ）である。図５の（ｃ）では、記録手段１０は右側に移動しながら記録を行っており、この状態では、図５の（ｂ）で圧縮変形された左側の吸引機構４０は、ばね４６が初期状態に戻ることで袋部材４７の体積を増加させることで、内部空間の拡張に伴って発生する吸引力によって吸引口４３から空気（インクミスト）を吸引している。
【００２６】
このように、記録手段１０の移動（主走査）によって記録媒体５０に記録すると同時に、記録手段１０に設けられた吸引機構４０は突き当て部４１との協働によって以上のような動作を繰り返しながらインクミストの吸引を行っている。吸引されたインクミストは、吸引機構４０が突き当て部４１により圧縮変形されることで、排出口４４及びインク吸収体４２により回収され、さらには、記録装置の下部（底部）に配置された廃インク吸収体１１へ導くことができる。
なお、以上説明した各実施形態においては、吸引機構４０によりインクミストを吸引することで、該吸引機構４０の内部に溜まったインクを、回復系ユニット６０の吸引回復手段（キャップ及び吸引ポンプ）を用いて吸引口４３から吸引回収するように構成しても良い。
【００２７】
本実施形態においても、吸引機構４０として、圧縮変形後に初期形状に戻る際に吸引力を発生する機構を使用するとともに、記録ヘッド１の吐出口及び記録媒体５０に近い位置に吸引口４３を設けるため、記録動作の際に発生するインクミストを効率よく吸引し回収することができる。また、吸引機構４０を記録動作の際の往復運動を利用して弾性変形させ、その後の弾性復元力を利用して吸引力を発生させるので、ポンプや排気ファンなどの動力機構を必要としない簡単かつ安価な構成でインクミストを吸引し、回収することができる。すなわち、第１の実施形態の場合と同様、インクジェット記録装置の小型化を図るとともに、記録媒体５０のインク汚れや記録手段１０の位置制御センサなどの誤作動を防ぐことができ、信頼性の高いインクジェット記録装置が提供される。
【００２８】
以上では本発明の実施形態について説明したが、本発明は、記録媒体に沿って移動する記録手段からインクを吐出して記録するインクジェット記録装置であれば、インクを吐出する機構や記録ヘッドの形態としてどのような構成のものを採用する場合でも広く適用可能なものであり、同様の効果を奏するものである。例えば、インク吐出機構として発熱素子等のヒータ（電気熱変換体）を用いたり、ピエゾ素子等の電気機械変換体を用いたりする場合でも同様に適用することができる。また、単色又は複数色で記録する１個の記録ヘッドを用いるインクジェット記録装置、異なる色のインクで記録する複数の記録ヘッドを用いるカラーインクジェット記録装置、あるいは同一色彩で異なる濃度で記録する複数の記録ヘッドを用いる階調インクジェット記録装置、これらを組み合わせたインクジェット記録装置の場合にも、同様に適用することができ、同様の効果を達成し得るものである。さらに、本発明は、記録ヘッドとインクタンクを一体化した交換可能なインクカートリッジを用いる構成、記録ヘッドとインクタンクを別体にし、その間をインク供給用チューブ等で接続する構成など、記録ヘッドとインクタンクの配置構成がどのような場合にも同様に適用することができ、同様の効果が得られるものである。
【図面の簡単な説明】
【００２９】
【図１】本発明によるインクジェット記録装置の第１の実施形態の模式的正面断面図である。
【図２】図１のインクジェット記録装置の記録手段の模式的拡大正面図である。
【図３】図１のインクジェット記録装置で記録を行う際にインクミストを吸引する動作を示す模式的正面断面図であり、（ａ）は記録手段が左向きに移動するときの状態を示し、（ｂ）は記録手段が左端の突き当て部に圧接されるとともに移動方向を反転するときの状態を示し、（ｃ）は記録手段が右向きに移動するときの状態を示す。
【図４】本発明によるインクジェット記録装置の第２の実施形態で使用される記録手段の模式的拡大正面図である。
【図５】本発明によるインクジェット記録装置の第２の実施形態において記録を行う際に吸引機構によりインクミストを吸引する動作を示す模式的正面断面図であり、（ａ）は記録手段が左向きに移動するときの状態を示し、（ｂ）は記録手段が左端の突き当て部に圧接されるとともに移動方向を反転するときの状態を示し、（ｃ）は記録手段が右向きに移動するときの状態を示す。
【符号の説明】
【００３０】
１      記録ヘッド
１ａ    吐出口面
２      キャリッジ
３      キャリッジ軸
６      プラテン
１０    記録手段
１１    廃インク吸収体
２０    シャーシ
３０    スケール
４０    吸引機構
４１    突き当て部
４２    インク吸収体
４３    吸引口
４４    排出口
４６    ばね
４７    袋部材
５０    記録媒体（記録紙等）
６０    回復系ユニット
【図１】
2006027049.tif 000003
【図２】
2006027049.tif 000004
【図３】
2006027049.tif 000005
【図４】
2006027049.tif 000006
【図５】
2006027049.tif 000007